(57)【要約】【課題】複雑な演算処理を実行することなく、文字等の輪郭部に発生するジャギーを目立たなくすることができる表示制御装置を提供すること。【解決手段】図形８ａを表示するＯＳＤプレーン８に対して、各半透明ＯＳＤプレーン（９〜１２）をそれぞれ、上下左右方向に所定画素分移動させて、移動後の各半透明ＯＳＤプレーン（９〜１２）とＯＳＤプレーン８とを合成する。９ａ〜１２ａは、各半透明ＯＳＤプレーン（９〜１２）上の半透明ＯＳＤ図形である。【選択図】図５
2009139847.tif 000002
【特許請求の範囲】
【請求項１】
低解像度の表示データを高解像度のディスプレイに拡大表示する際に、表示データの拡大画像を展開する主プレーンメモリと、前記拡大画像の半透明の画像を展開する補助プレーンメモリを備え、
前記主プレーンメモリに展開した拡大画像に対し前記補助プレーンメモリに展開した半透明の画像を縦（上下）方向及び横（左右）方向にそれぞれ所定画素ずつ４方向にずらせた画像を重ねて前記ディスプレイに表示することを特徴とする表示制御装置。
【請求項２】
前記補助プレーンメモリを４つ備えることを特徴とする請求項１に記載の表示制御装置。
【請求項３】
前記低解像度のデータは、ＯＳＤデータであることを特徴とする請求項１又は２に記載の表示制御装置。
【請求項４】
請求項１〜３のいずれか１に記載の表示制御装置を備えることを特徴とするテレビジョン受信装置。
【請求項５】
請求項１〜３のいずれか１に記載の表示制御装置を備えることを特徴とする表示装置。
【請求項６】
請求項１〜３のいずれか１に記載の表示制御装置を備えることを特徴とする記録装置。
【発明の詳細な説明】
【技術分野】
【０００１】
本発明は、ＯＳＤ表示に好適な表示制御装置、特に、ＯＳＤを拡大表示する際に発生するジャギーを目立たなくすることができる表示制御装置に関する。
【背景技術】
【０００２】
高精密な映像表示が可能な高解像度のディスプレイに、低解像度のＯＳＤを単純に拡大表示すると、拡大表示したＯＳＤ上の文字、図形の輪郭部に発生したジャギー（ギザギザ）が非常に目立ってしまう。
そこで、発生したジャギーを目立たなくする方法が様々提案されている。例えば、特許文献１には、３次たたみ込み内挿法等を用いることによって、ジャギーを目立たなくする方法が開示されている。また、その他にも、画素毎に中間色を生成することによって、ジャギーを目立たなくする方法が提案されている。
【特許文献１】特開２００４−０８０８２３号公報
【発明の開示】
【発明が解決しようとする課題】
【０００３】
しかし、前述の各方法は、画素毎に複雑な演算処理を実行するため、演算量が膨大となる。その結果、例えば、データ放送等の文字が多数表示されるＯＳＤを前述の方法を用いて拡大表示すると、拡大処理に長時間を要することになり、ユーザの操作性、利便性が低下してしまうという問題があった。
本発明は、かかる実情に鑑みてなされたものであり、複雑な演算処理を実行することなく、文字等の輪郭部に発生するジャギーを目立たなくすることができる表示制御装置を提供することを目的とする。
【課題を解決するための手段】
【０００４】
第１の技術手段は、低解像度の表示データを高解像度のディスプレイに拡大表示する際に、表示データの拡大画像を展開する主プレーンメモリと、前記拡大画像の半透明の画像を展開する補助プレーンメモリを備え、前記主プレーンメモリに展開した拡大画像に対し前記補助プレーンメモリに展開した半透明の画像を縦（上下）方向及び横（左右）方向にそれぞれ所定画素ずつ４方向にずらせた画像を重ねて前記ディスプレイに表示することを特徴とする表示制御装置である。
【０００５】
第２の技術手段は、第１の技術手段の表示制御装置は、前記補助プレーンメモリを４つ備えることを特徴とする。
【０００６】
第３の技術手段は、第２の技術手段の前記低解像度のデータは、ＯＳＤデータであることを特徴とする。
【０００７】
第４の技術手段は、第１〜第３のいずれか１の表示制御装置を備えることを特徴とするテレビジョン受信装置である。
【０００８】
第５の技術手段は、第１〜第３のいずれか１の表示制御装置を備えることを特徴とする表示装置である。
【０００９】
第６の技術手段は、第１〜第３のいずれか１の表示制御装置を備えることを特徴とする記録装置である。
【発明の効果】
【００１０】
本発明により、複雑な演算処理を行わずに、ジャギーを目立たせることなく拡大処理を短時間で実行できるので、ユーザの操作性、利便性が低下することがない。
【発明を実施するための最良の形態】
【００１１】
本発明について説明する前に、ＯＳＤを表示する際に必要となるＯＳＤプレーンについて説明する。
通常、ＯＳＤをディスプレイに表示する場合には、ＯＳＤデータをＯＳＤプレーンメモリに展開し、当該メモリに展開されたＯＳＤデータをＯＳＤプレーンとしてディスプレイに表示する。
【００１２】
図１は、ＯＳＤプレーンを説明するための図である。
図１（Ａ）は、ＯＳＤがディスプレイ１に表示されている様子を示したものである。図中、２は、映像データが表示される映像プレーン、３ａは、ＯＳＤプレーンメモリに展開されたメニュー（データ）が表示されるＯＳＤプレーンＡ、３ｂは、同ダイアログボックス（データ）が表示されるＯＳＤプレーンＢである。このように、各プレーン（２、３ａ、３ｂ）がディスプレイ１に重畳して表示される。なお、ＯＳＤプレーンＡ３ａのメニュー枠Ｂの外側は透明であり、ＯＳＤプレーンＡ３ａによって、映像プレーン２の映像が見えなくなることはない。ＯＳＤプレーンＢ３ｂも同様である。
【００１３】
図１（Ｂ）は、各プレーン（２、３ａ、３ｂ）が重畳して表示される様子を模式的に示した図の一例である。
このように、ＯＳＤデータは、ＯＳＤプレーンメモリに展開され、当該メモリに展開されたＯＳＤデータが、ＯＳＤプレーンとしてディスプレイに表示される。
【００１４】
次に、図２〜図５を用いて本発明の概要について説明するが、本発明では、少なくとも５枚のＯＳＤプレーンを有するものとする。
図２は、例えば、９６０画素×５４０画素のディスプレイ５（低解像度）に表示されるＯＳＤプレーン６上の低解像度のＯＳＤ図形６ａを示したものである。
図３は、ディスプレイ５を縦方向及び横方向に２倍に拡大した、１９２０画素×１０８０画素のディスプレイ７（高解像度）に表示されるＯＳＤプレーン８上の高解像度のＯＳＤ図形８ａを示したものである。
【００１５】
前記図形８ａは、高解像度のディスプレイ７に前記低解像度の図形６ａを表示するもので、当該図形６ａを縦方向及び横方向に２倍に拡大したものである。
なお、図形６ａ、図形８ａ以外にも、ＯＳＤプレーンには、様々な図形、文字等が表示されるが、説明の便宜のため省略する。
【００１６】
図３に示したように、図形６ａを単純に拡大した場合には、図形８ａの輪郭部、特に、斜め線部に発生するジャギーＪが目立ってしまう。
そこで、本発明では、先ず、２倍に拡大された図形８ａを表示するＯＳＤプレーン８の他に、図４に示したように、同ＯＳＤプレーン８を半透明にしたＯＳＤプレーン（９〜１２）を４枚生成する。
【００１７】
そして、図５に示したように、図形８ａを表示するＯＳＤプレーン８に対して、各半透明ＯＳＤプレーン（９〜１２）をそれぞれ、上下左右方向に所定画素分移動させて、移動後の各半透明ＯＳＤプレーン（９〜１２）とＯＳＤプレーン８とを合成する。９ａ〜１２ａは、各半透明ＯＳＤプレーン（９〜１２）上の半透明ＯＳＤ図形である。
【００１８】
ここでは、ＯＳＤプレーン８に対して、１枚の半透明ＯＳＤプレーン９をＨ方向＋１、Ｖ方向＋１（斜右上）、同プレーン１０をＨ方向＋１、Ｖ方向−１（斜右下）、同プレーン１１をＨ方向−１、Ｖ方向−１（斜左下）、同プレーン１２をＨ方向−１、Ｖ方向＋１分（斜左上）、画素シフトして、ＯＳＤプレーン８と合成し、表示する。
【００１９】
図からも明らかなように、半透明ＯＳＤプレーン９、１０が重なっている画素Ｌ９，１０、半透明ＯＳＤプレーン１１、１２が重なっている画素Ｌ１１，１２は、半透明部分（斜線）に比べて濃くなっている。それ故、視聴者には、前述の画素Ｌ９，１０、Ｌ１１，１２により、図３に示したジャギー部分Ｊの画素が補完されているように見えるので、ジャギー部分Ｊが目立たなくなる。
【００２０】
図６は、ＯＳＤ表示制御に好適な本発明に係わる表示制御装置、つまり、ＯＳＤ表示制御装置２０を説明するためのブロック図である。なお、ここで説明するＯＳＤ表示制御装置２０は、テレビジョン受信装置１００に搭載されているが、様々なＡＶ機器、例えば、液晶テレビ等の表示装置、ＨＤＤレコーダ等の記録装置に搭載することができる。
【００２１】
１００ａは、例えば、デジタルテレビ放送信号を受信するアンテナであり、アンテナ１００ａによって受信した当該信号は、チューナ１０１に送られる。
チューナ１０１は、図示しないＣＰＵから入力されたチャンネル設定信号に基づいて、受信チャンネルを設定し、設定した受信チャンネルに対応するデジタルテレビ放送信号を復調する。そして、復調したデジタル放送信号を分離部１０２に出力する。
【００２２】
分離部１０２は、チューナ１０１から入力された、復調後のデジタル放送信号から映像データ、音声データ等を分離し、分離した映像データを映像デコード部１０３、同音声データを音声デコード部１０４に出力する。
【００２３】
映像デコード部１０３は、入力された映像データをデコードして、混合部１０５に出力する。混合部１０５は、デコードされた映像データと後述のＯＳＤプレーンメモリに展開されたＯＳＤデータとを混合し、混合後、所定の処理を施し、高解像度のディスプレイに出力する。
音声デコード部１０４は、入力された音声データをデコードして、所定の処理を施し、スピーカに出力する。
【００２４】
２０は、本発明に係わるＯＳＤ表示制御装置で、当該装置２０は、低解像度の表示データ、例えば、ＯＳＤデータを記録するＯＳＤデータメモリ２１と、当該メモリ２１に記録されたＯＳＤデータをＯＳＤプレーンとしてディスプレイに表示するためのＯＳＤプレーンメモリ２２と、前述した半透明ＯＳＤプレーンを生成する半透明ＯＳＤプレーン生成部２３と、各機能ブロック（２１〜２３）を制御するＯＳＤ表示制御部２４とを有する。
【００２５】
ＯＳＤプレーンメモリ２２は、拡大画像を高解像度のディスプレイに表示するために必要となるメモリサイズ、例えば、１９２０画素×１０８０画素のディスプレイ７にＯＳＤデータをＯＳＤプレーンとして表示するために必要となるメモリサイズを有している。
【００２６】
本発明では、ＯＳＤプレーンメモリ２２は、少なくとも、５枚のＯＳＤプレーンをディスプレイに表示するので、５枚のＯＳＤプレーンを展開できるメモリサイズを有し、前記ディスプレイに表示するための拡大画像を展開するための主プレーンメモリ（図示しない）、前記拡大画像の半透明の画像を縦（上下）方向及び横（左右）方向にそれぞれ所定画素ずらせて展開するための４つの補助プレーンメモリ（図示しない）を備えている。
【００２７】
（ＯＳＤの拡大処理）
例えば、９６０画素×５４０画素のディスプレイに表示するための低解像度ＯＳＤデータがＯＳＤデータメモリ２１に記録されているとすると、前記低解像度ＯＳＤデータを前記１９２０画素×１０８０画素の高解像度のディスプレイに表示する場合には、前述したように、前記ＯＳＤ（データ）を縦方向及び横方向に２倍に拡大する必要がある。
そこで、ＯＳＤ表示制御部２４は、前記低解像度のＯＳＤを、縦方向及び横方向に２倍に拡大して、ＯＳＤプレーンメモリ２２（主プレーンメモリ）に展開する。
【００２８】
（半透明ＯＳＤプレーンの生成）
前記拡大処理に並行して、又は、拡大処理の終了後、半透明ＯＳＤプレーン生成部２３は、ＯＳＤプレーンメモリ２２に展開される拡大ＯＳＤプレーン（図３参照）を半透明にした、半透明ＯＳＤプレーンを４枚分生成し（図４参照）、当該生成した半透明ＯＳＤプレーンをＯＳＤプレーンメモリ２２、つまり、４つの補助プレーンメモリにそれぞれ展開する。なお、半透明ＯＳＤプレーンは、ＯＳＤプレーンに係わるパレットテーブルの透明用αビットをオンにすることにより生成される。
【００２９】
（画素シフトと合成）
ＯＳＤ表示制御部２４は、主プレーンメモリに展開された拡大画像に対して、前記拡大画像の半透明の画像を縦（上下）方向及び横（左右）方向にそれぞれ所定画素ずらせた画像を重ねて合成する。
【００３０】
つまり、ＯＳＤ表示制御部２４は、図５で示したように、ＯＳＤプレーンメモリ２２に展開されている半透明ではないＯＳＤプレーンに対して、４枚の半透明ＯＳＤプレーンをそれぞれ縦（上下）方向及び横（左右）方向に所定画素、例えば、１画素分、画素シフトを行い、各ＯＳＤプレーンを合成する。
そして、合成したＯＳＤプレーンを混合部１０５に出力し、映像データと混合する。
【００３１】
図７は、ＯＳＤプレーンメモリ２２に展開されている、拡大処理が施されたＯＳＤプレーン１５の一部分を示した図で、１５ａは、本発明を適用する、前記ＯＳＤプレーン１５内の図形である。
図８は、本発明を適用する前の図形１５ａの拡大図１５ａ’、図９は、本発明を適用した後の図１５ａ’’の拡大図である。
【００３２】
このように、拡大ＯＳＤプレーンの図形など（表示データ）に本発明を適用すると、拡大の際に発生するジャギー（図８の符号Ｊ参照）が半透明なプレーンによって覆われるので、ジャギーが目立たなくなる（図９の符号Ｌ参照）。また、前述のように、ＯＳＤ表示制御装置２０で実行される処理は、半透明プレーンを生成し、画素シフト実行後、合成する処理だけであり、複雑な演算処理は行わない。それ故、ＯＳＤ表示速度（描画速度）を落とさずに、発生したジャギーを目立なくすることができるので、操作性が低下することがない。
【００３３】
なお、本実施例では、説明の便宜のため、４枚のＯＳＤプレーンを生成し、各ＯＳＤプレーンを４つの補助プレーンメモリに展開したが、合成時の処理によっては、１枚のＯＳＤプレーンを生成するだけでもよい。
ＯＳＤプレーンを単に半透明にするだけでなく、当該プレーンの透明度を変更できるようにしてもよい。
【図面の簡単な説明】
【００３４】
【図１】ＯＳＤプレーンを説明するための図である。
【図２】ディスプレイ（低解像度）に表示されるＯＳＤ図形を示した図である。
【図３】ディスプレイ（高解像度）に表示されるＯＳＤ図形を示した図である。
【図４】半透明ＯＳＤプレーンを４枚生成した状態を示した図である。
【図５】ＯＳＤプレーンと４枚の半透明ＯＳＤプレーンを合成した状態を示した図である。
【図６】本発明に係わるＯＳＤ表示制御装置を説明するためのブロック図である。
【図７】拡大処理が施されたＯＳＤプレーンの一例を示した図である。
【図８】本発明を適用する前の図形の拡大図である。
【図９】本発明を適用した後の図形の拡大図である。
【符号の説明】
【００３５】
１…ディスプレイ、２…映像プレーン、３ａ…ＯＳＤプレーンＡ、３ｂ…ＯＳＤプレーンＢ、５，７…ディスプレイ、６，８…ＯＳＤプレーン、６ａ，８ａ…ＯＳＤ図形、９〜１２…半透明ＯＳＤプレーン、９ａ〜１２ａ…半透明ＯＳＤ図形、１５…拡大処理が施されたＯＳＤプレーン、１５ａ…図形、１５ａ’、１５ａ’’…図形の拡大図、２０…ＯＳＤ表示制御装置、２１…ＯＳＤデータメモリ、２２…ＯＳＤプレーンメモリ、２３…半透明ＯＳＤプレーン生成部、２４…ＯＳＤ表示制御部、１００…テレビジョン受信装置、１００ａ…アンテナ、１０１…チューナ、１０２…分離部、１０３…映像デコード部、１０４…音声デコード部、１０５…混合部、Ｂ…枠、Ｊ…ジャギー部、Ｌ…半透明ＯＳＤプレーンが重なった部分、Ｌ９，１０…半透明ＯＳＤプレーン９と同１０が重なり合った部分、Ｌ１１，１２…半透明ＯＳＤプレーン１１と同１２が重なり合った部分。
【図１】
2009139847.tif 000003
【図２】
2009139847.tif 000004
【図３】
2009139847.tif 000005
【図４】
2009139847.tif 000006
【図５】
2009139847.tif 000007
【図６】
2009139847.tif 000008
【図７】
2009139847.tif 000009
【図８】
2009139847.tif 000010
【図９】
2009139847.tif 000011